(57)【特許請求の範囲】
【請求項１】
基材シートの上下両側面に接着層を有するかつら用の両面テープと、
前記上側の接着層に貼着される極薄の表面フィルムと、
前記下側の接着層に貼着される剥離紙と、
前記下側の接着層の下面を折り返して、該基材シートから前記表面フィルムまでを貫通して略Ｖ字状に植設される多数の擬毛とを備え、
前記下側の接着層から前記表面フィルムまでの全体を貫通する擬毛植設孔を、前記擬毛よりも大きく形成して通気孔となした
ことを特徴とする擬毛ピース。
【発明の詳細な説明】
【技術分野】
【０００１】
本発明は、脱毛を伴う病気や投薬、火傷などの事故あるいは老化に伴う毛髪の脱毛部分を補うほか、演劇やテレビ等の芸能で、毛髪の生え際や鬢，髷や後れ毛，まゆ，ひげ、下毛等を自毛として見せるのに好適な擬毛ピースであって、特に一定期間の使用でその使命を終える使い捨てタイプの擬毛ピースに関する。
【背景技術】
【０００２】
病気や老化等で失った脱毛が全頭に及ぶ場合には、着脱の際の利便性や体裁的見地から、ネット状のベースに擬毛を植設したかつらが適しているが、部分的な脱毛や薄毛の場合に、部分かつらでは生え際が不自然に見えることや頭部への装着が困難である場合が多いために好ましくなく、擬毛を植設した薄手の基材シートを頭皮に直接接着する擬毛ピースが適している。
【０００３】
後者の擬毛ピースとして、所定形状に形成した薄皮状のベースに毛を植設し、該ベースの裏面に接着剤を付けて上記毛の基端部をベースに固定するための第１接着層を形成し、さらに該第１接着層の上からベースの裏面全面に頭皮に貼着するための第２接着層を形成したもの（例えば、特許文献１参照）や、極薄シートからなるベースと該ベースに植付けられた擬毛と上記ベースの裏面に設けられる粘着層とからなるかつらであって、上記ベースの厚さはミクロン（μ）単位であり、上記粘着層は上記ベースの裏面に突出した擬毛の根部を冠着する凸部と他の部分との間に凹凸が現出される程度の薄さとして上記ベースの裏面全面に均等な厚さで形成され、さらに人皮に付着したとき上記凸部が上記ベースの表面側に盛り上がるようにしたものがある（例えば、特許文献２参照）。
【０００４】
また、特許文献１の擬毛ピースはさらに、ベースに多数の微小孔を突設し、該微小孔の一部の孔に擬毛を植設する植設孔となすとともに、その他の孔を通気孔となし、擬毛を植設する際にはベースを引張って植設孔を拡大しておいてから、擬毛を植毛機によりベースの裏面側から１つの植設孔に差し込んで表面側に引っ張り上げ、次いで表面側に突出した擬毛を隣接する植設孔より裏面側に挿入し、このような作業を連続して行い、擬毛を連続状に縫うようにして孔通ししたのち、ベースの表面側に連続する擬毛を所望の長さに切断することにより植設を終了する。  次いで、隣接する植設孔間に跨った擬毛の基端部に速乾性の接着剤を吹付けて第１接着層を形成し、該第１接着層の固化により擬毛の基端部がベースに固定すると擬毛がベースより抜けなくなる。さらに、固化した第１接着層の上より粘着物からなる接着剤をベースの裏面全体に吹付けて第２接着層を形成する。第１，第２接着層はスプレーにより形成するため、吹き付けられる接着剤は細粒状であって通気孔を塞がない。即ち、植設孔には擬毛が植設されており、この擬毛が接着剤を捕捉するが、通気孔には擬毛が植設されていないために接着剤は捕捉されずに通過する。このようにして擬毛の植設及び接着層を形成を終了したのち、第２接着層の上にセパレータを貼付してできあがる、と記載されている。
【０００５】
【特許文献１】特許第３４８４５６５号公報（特許請求の範囲、段落番号０００９〜同００１０）
【特許文献２】特許第４００９９１０号公報（特許請求の範囲）
【発明の開示】
【発明が解決しようとする課題】
【０００６】
しかしながら、上記した特許文献１，２の擬毛ピースは、頭皮へ貼り付けるための接着剤として強力なボンドを用いているために、頭皮への貼り付けが強固である反面、一旦頭皮に貼り付けてしまうと貼り直しが利かず、取り外しには除光液等の専用の溶剤を用いなければならない。このため、特許文献１，２の擬毛ピースを用いるには、ヘアサロン等の専門の技術者に頼らなければならず、使用者自らが簡便に使用できるものではなかった。
また特許文献１では、擬毛を植設する際に、ベースを引き延ばして植設孔を拡大しながら擬毛を差し込むとしているが、擬毛を差し込む植設孔はベースに予め穿たれた微小孔であり、この微小孔を引き延ばしながら植毛機で１本ずつ擬毛を差し込むという作業は、孔と擬毛との位置合わせに高精度が要求されることとなり、相当な困難と多大な時間を要する。
【０００７】
さらに特許文献１は、擬毛を植設したあとのベースの裏面に形成する第１接着層と第２接着層は、接着剤をスプレーによって吹き付けるものであることから、植設孔では擬毛が接着剤を捕捉するが、通気孔には擬毛が植設されていないために接着剤は捕捉されずに通過するため、細粒状の接着剤は通気孔を塞がないと述べているが、通気孔が微小孔であるのなら頭皮からの汚れや脂質の付着によって通気孔が塞がれてしまうことは大いに懸念されることであり、ましてや粘着性の接着剤を微小な通気孔に吹き付けるのであれば、接着剤は通気孔を通過できずに通気孔を塞いでしまう可能性が極めて高く、しかも２つの接着層のために接着剤を重ね塗りするとなれば、接着剤が通気孔を塞がないとは到底考えられない。
【０００８】
また、特許文献１の擬毛ピースではベース自体に通気孔がなく、したがって特許文献１，２のいずれの擬毛ピースも、頭皮への接着によって通気性を持たないベースや極薄シートが頭皮を密閉して覆うこととなり、ゆえに頭皮が蒸れてかぶれやかゆみを招くといった衛生上の問題がある。
【０００９】
さらに、芸能等に用いるかつらでは、使用者自身がかつらを着脱できるという利便性があるものの、頭皮からかつらの擬毛生え際部分が浮き上がりやすいため、遠目にもかつらを使用していることがわかってしまい、再現性に欠けるものとなっていた。
【００１０】
本発明はかかる実情を背景にしてなされたもので、その目的とするところは、頭皮の衛生環境を良好に保ちつつ、使用者自らが簡便に着脱することが可能で、さらにかつらの補助具としても生え際に自然なリアリティを持たせることのできる増毛ピースを提供することにある。
【００１１】
上述の目的を達成するため、本発明の擬毛ピースは、基材シートの上下両側面に接着層を有するかつら用の両面テープと、前記上側の接着層に貼着される極薄の表面フィルムと、前記下側の接着層に貼着される剥離紙と、前記下側の接着層の下面を折り返して、該基材シートから前記表面フィルムまでを貫通して略Ｖ字状に植設される多数の擬毛とを備え、前記下側の接着層から前記表面フィルムまでの全体を貫通する擬毛植設孔を、前記擬毛よりも大きく形成して通気孔となしたことを特徴としている。
【００１２】
本発明の擬毛ピースは、頭部の脱毛あるいは薄毛部分の形状に合わせてカットして当該部分に貼り付ける。擬毛ピースに用いるかつら用の両面テープは、かつらを接着剤で頭皮へ直接貼り付ける際に、頭皮を傷めないように適度な接着力を持つので、頭皮への着脱を使用者自身が行うことができ、また頭皮への貼り場所を間違えたりした場合には、これを引き剥がして貼り直すことが可能である。
両面テープと表面フィルムへの植毛は、植毛針であるタッピを用いて１本ずつ行われ、擬毛よりも太いタッピを用いることにより、下側の接着層から表面フィルムまでの全体を貫通する擬毛植設孔を擬毛よりも大きく形成して、擬毛植設孔と擬毛との間の空隙を通気孔とする。
さらに、芸能等に用いるかつらでは、かつらの擬毛生え際部分と頭皮との境目に本発明の擬毛ピースを貼り付けることにより、擬毛生え際部分の浮き上がりがなくなる。
【００１３】
また、本発明の表面フィルムに、透過処理を施した合成樹脂フィルムを用いることにより、外光が表面フィルムと基材シートを反射せずに頭皮まで透過して、頭皮の皮膚色が表面フィルムの表面にそのまま映し出される。
【発明の効果】
【００１４】
本発明の擬毛ピースによれば、頭皮を傷めない適度な接着力を持つかつら用両面テープを用いるので、専門の技術者に頼らずとも頭皮への着脱を使用者自身が簡便に行うことができ、また頭皮への貼り場所を間違えたりした場合にも、これを引き剥がして貼り直すことが可能である。
また、基材シートと表面フィルムとを貫通する通気孔が内外の空気を流通させるので、皮膚呼吸や発汗作用を妨げることはなく、したがって頭皮の蒸れやかゆみを有効に防止しながら、接着剤が有効な範囲で擬毛ピースを長期間使用することができる。しかも、通気孔は擬毛植設孔を利用して設けられるので、格別な加工工程は一切不要である。
さらに、芸能等に用いるかつらでは、かつらの擬毛生え際部分と頭皮との境目に本発明の擬毛ピースを貼り付けることにより、浮き上がりのない自然な生え際を表現でき、かつらの髪型にあたかも自毛で結ったごときリアリティを持たせることができる。
【００１５】
また、表面フィルムに透過処理を施した合成樹脂フィルムを用いることにより、外からの光が表面フィルムや基材シートを反射せずに頭皮まで透過して、頭皮の皮膚色を表面フィルムの表面にそのまま映し出すので、生え際をより自然に見せることができるばかりか、基材シートと表面フィルムとの存在が薄れて目立たなくなるのでより好ましい。
【発明を実施するための最良の形態】
【００１６】
以下、本発明に係る擬毛ピースの一実施例を図面に基づいて説明する。
図中、図１（ａ）〜（ｄ）は擬毛の植毛手順を説明する図、図２は擬毛ピースの斜視図、図３は擬毛ピースの使用状態を示す斜視図である。
なお、図１（ａ）〜（ｄ）に示すベースや擬毛，タッピは、理解を容易にするために厚みや太さ，長さを強調して表現してある。
【００１７】
図１〜図３に示す擬毛ピース１は、所定形状に形成されたシート状のベース２に多数の擬毛３が植設されており、後述する基材シート５の下面に塗布された接着層６ｂの下側に剥離紙４が貼着されている。
ベース２は、基材シート５の上下両側面に接着層６ａ，６ｂを有する両面テープ７と、基材シート５の上側に接着層６ａを介して貼着される極薄の表面フィルム８とからなっており、上下方向へ貫通して設けられた多数の擬毛植設孔にそれぞれ擬毛３が収容されるとともに、それ以外の空隙部分を通気孔９となしている。
【００１８】
擬毛３には、ナイロンやポリエステル等の合成繊維糸からなる人工毛や人毛あるいはこれらの混合したものが用いられる。両面テープ７は、一般的なかつら（図示せず）を頭皮に直接貼り付けるために、同じく図示しないかつらベースの内側に貼着されるかつら専用の両面テープであって、基材シート５には薄い合成樹脂シートが用いられ、またその上下の接着層６ａ，６ｂには、頭部に装着したかつらにずれがなく、またかつらの装着中やかつらを頭部から取り外す際に頭皮を傷めない程度の適度な接着力が用いられている。
【００１９】
表面フィルム８には、両面テープ７の基材シート５よりも薄い極薄の合成樹脂シートが用いられており、その表面には透過処理が施されていて外光が内部を透過できるようにしている。
基材シート５の上面に極薄の表面フィルム８を貼着した本実施例の二層構造は、擬毛３に自然で自在な動きやすさを与える。また、健康な人毛の毛根部は１ｍｍ〜２ｍｍ程度の深さまで達していて、根元がハリのある立ち上がりとなってフンワリ感が出ることがわかっており、本実施例の基材シート５と表面フィルム８との二層構造でも、毛髪の基本的な直径と略等しい０．０７ｍｍ〜０．１ｍｍの最低厚さを確保することにより、擬毛３の根元部を確実に保持してハリのある立ち上がりとふんわり感を出すようにしている。
【００２０】
図１（ａ）〜図１（ｄ）は、ベース２に擬毛３を植設する手順を示しており、まず図１（ａ）では、ベース２の上方からタッピ１０の先端Ｖ字状部１０ａを突き刺して、該Ｖ字状部１０ａをベース２の下側に位置させることにより、ベース２に上下方向の擬毛植設孔１１ａをやや傾斜して貫通形成し、次にタッピ１０の引き上げにより、ベース２の下側へ位置したＶ字状部１０ａ先端側の折り返し片１０ｂをベース２に突き刺して、擬毛植設孔１１ａとは傾斜が逆方向の擬毛植設孔１１ｂを擬毛植設孔１１ａに隣接して貫通形成し、擬毛植設孔１１ｂからベース２の上側へ突出した折り返し片１０ｂ先端の鉤部１０ｃを、擬毛３となる合成繊維糸１２に引っ掛ける。
【００２１】
次に、図１（ｂ）でタッピ１０を押し下げて、Ｖ字状部１０ａをベース２の下側に位置させることにより、鉤部１０ｃに引っ掛けた合成繊維糸１２を二つ折り状態で擬毛植設孔１１ｂに挿通し、さらに図１（ｃ）でタッピ１０を引き上げて、Ｖ字状部１０ａを擬毛植設孔１１ａに挿通させながら、合成繊維糸１２の引っ掛け位置を鉤部１０ｃからＶ字状部１０ａに変更して、該合成繊維糸１２の一方を擬毛植設孔１１ｂに残しながら他方のみを擬毛植設孔１１ａを引き上げ、さらにＶ字状部１０ａをベース２の上方へ引き抜くことにより、図１（ｄ）のようにＶ字状部１０ａに引っ掛けた合成繊維糸１２の他方を擬毛植設孔１１ａに挿通して、その先端側をベース２の上方へ引き出す。
【００２２】
そして、擬毛植設孔１１ａ，１１ｂから突出する合成繊維糸１２の双方の先端を所要長さに切り揃えることにより、連続した２本の擬毛３，３が基材シート５から表面フィルム８までのベース２の全体を貫通して略Ｖ字状に植設され、このように擬毛３を植設したのち、下側の接着層６ｂの下面には剥離紙４が貼着される。
【００２３】
この種の擬毛ピースやかつらに擬毛３として使用される合成繊維糸１２は通常直径７０〜８０μ程度であり、一方この植毛に植毛針として使用されるタッピ１０によって、ベース２に０．０９〜０．数ミリの擬毛植設孔１１ａ，１１ｂが開く。本実施例の前記通気孔９は、擬毛３の植設時にタッピ１０で穿設される擬毛植設孔１１ａ，１１ｂを利用したもので、０．０９〜０．数ミリの擬毛植設孔１１ａ，１１ｂに７０〜８０μの擬毛３を挿通した残り０．０数ミリの空隙部分が通気孔９となる。
【００２４】
このようにして形成された擬毛ピース１は、頭皮の貼り付けたい位置に合わせてベース２をカットし、剥離紙４を引き剥がして、使用者自身が頭皮１３の所望箇所に貼り付ける。擬毛ピース１は、ベース２を頭皮１３に押圧して該頭皮１３に接着層６ｂを接着させるが、その際に接着層６ｂを貫通した擬毛３も頭皮１３との間に挟まれるため、擬毛３はより強固に固定され、擬毛３の抜け毛を防ぐ働きをする。
【００２５】
本実施例はこのように、１本の合成繊維糸１２が２本の擬毛３，３としてベース２を貫通して略Ｖ字状に植設されるため、ベース２の上方から引き抜き方向の外力が作用してもベース２が破れない限り擬毛３，３が抜け出ることはない。
また通気孔９は、ベース２の全厚みである基材シート５と表面フィルム８とを貫通して設けられ、ベース２に覆われた頭皮を外部と連通させるので、頭皮の皮膚呼吸と発汗作用とを良好に行わせる。その結果、擬毛ピース１に覆われた頭皮の衛生状態をよく保ち、ムレやかゆみを防止するので、擬毛ピース１を長期間にわたって使用することが可能となる。
【００２６】
また、本発明の表面フィルム８に、透過処理を施した合成樹脂フィルムを用いることにより、外光が反射することなく表面フィルム８と基材シート５とを透過して頭皮１３に至り、該頭皮１３の皮膚色を表面フィルム８の表面にそのまま映し出すので、擬毛ピース１を使用者の自毛の一部であるかのようなアリティを持たせることができる。
【図面の簡単な説明】
【００２７】
【図１】本発明の一実施例を示す擬毛の植毛手順を説明する図である。
【図２】本発明の一実施例を示す擬毛ピースの斜視図である。
【図３】本発明の一実施例を示す擬毛ピースの使用状態図である。
【符号の説明】
【００２８】
１…擬毛ピース
２…ベース
３…擬毛
４…剥離紙
５…基材シート
６ａ，６ｂ…接着層
７…両面テープ
８…表面フィルム
９…通気孔
１０…タッピ
１０ａ…Ｖ字状部
１０ｂ…折り返し片
１０ｃ…鉤部
１１ａ，１１ｂ…擬毛植設孔
１２…合成繊維糸
１３…頭皮
【図１】
0005021512.tif 000002
【図２】
0005021512.tif 000003
【図３】
0005021512.tif 000004